(57)【要約】【課題】防虫シートを建物の柱や壁等に配置可能とすることにより、ムカデや白アリ等の害虫が家屋に侵入するのを防ぎ、しかも、防虫シートが汚れたり劣化したりして防虫効果がなくなった場合は容易に取替え可能とすることにより、防虫シートの分解を防いで防虫効果を維持可能とし、人体や環境への汚染を低減することが可能な防虫シート、防虫シート用固定治具及びこれらを備える防虫用具を提供する。【解決手段】基材シートと、粘着材層と、忌避剤又は殺虫剤を含む防虫剤層とを備える、防虫シート。この防虫シートを支持体に固定するための固定治具。前記防虫シートと固定治具を備える防虫用具。【選択図】図１
2018121536.tif 000002
【特許請求の範囲】
【請求項１】
基材シートと、粘着材層と、忌避剤又は殺虫剤を含む防虫剤層とを備える、防虫シート。
【請求項２】
基材シートの表面に粘着材層が形成され、前記粘着材層の表面に忌避剤又は殺虫剤を含む防虫剤層が設けられた、防虫シート。
【請求項３】
請求項１又は２に記載の防虫シートを支持体に固定するための、防虫シート用固定治具。
【請求項４】
請求項１又は２に記載の防虫シートを支持体に固定するための防虫シート用固定治具であって、前記防虫シートを保持する保持部と、この保持部に保持された前記防虫シートの表面を露出させる開口部とを有する、防虫シート用固定治具。
【請求項５】
防虫シート用固定治具を支持体に固定したとき、前記防虫シート用固定治具の開口部の上方となる位置に、庇部が配置された、請求項４に記載の防虫シート用固定治具。
【請求項６】
防虫シート用固定治具を支持体に固定したとき、前記防虫シート用固定治具の下部となる位置に、害虫滑り部が配置された、請求項３から５の何れか１項に記載の防虫シート用固定治具。
【請求項７】
請求項１又は２に記載の防虫シートと、請求項３から６の何れか１項に記載の防虫シート固定用治具とを備える、防虫用具。
【発明の詳細な説明】
【技術分野】
【０００１】
本発明は、家屋内又はエアコンの室外機内等の電化製品中に侵入することで、人間や電気機器に害を及ぼしたり、家屋の柱や壁等を腐食したりする、ムカデや白アリ等の害虫の侵入を防ぐ、取替えが容易な防虫シート、防虫シート固定用治具及び防虫用具に関する。
【背景技術】
【０００２】
ムカデや白アリ等の害虫が家屋内に侵入することを防ぐ従来の方法として、液状又は粉末状の薬剤（防虫剤）を家屋周辺又は床下の土壌へ散布することが挙げられる。しかしながら、従来用いられる防虫剤の多くは、揮発性であることから大気中に拡散してしまったり、雨水等で洗い流されてしまったりすることから、経時的にその効果が低減し、再散布の必要がある。また、防虫剤には人体への毒性をもつ有害物質が含まれているため、雨水等で洗い流された防虫剤が居住環境や地下水等へ浸透し、土壌に蓄積されることによる悪影響が懸念される。
【０００３】
また、大規模に防虫剤を散布する場合には、専門知識のある専門業者に依頼する必要があり、メンテナンス費用が必要となる場合がある。
【０００４】
防虫剤を散布せずに害虫の侵入を防止する方法として、例えば特許文献１及び２に記載の発明では、ポリエチレンやポリスチレンを繊維状に編み込み、防虫剤で含浸処理した織布を、家屋の施工時に床下地面に施設する方法が提案されている。この方法であれば、防虫剤の再散布を必要とせず、また、専門業者に依頼するメンテナンス費用も削減できると考えられる。
【０００５】
また、特許文献３に記載の発明では、無機材料の短繊維を高密度で絡ませた不織布を、家屋の地面と接触する土台部を覆うように土中に配置し、物理的に害虫などの侵入を防ぐ方法が提案されている。この方法であれば、防虫剤を散布する方法の欠点である、再散布の必要性及び土壌等への蓄積による悪影響が、解消すると考えられる。
【先行技術文献】
【特許文献】
【０００６】
【特許文献１】特開平８−９２９６８号公報
【特許文献２】特開平７−２６８９７９号公報
【特許文献３】特開２００８−９５２１０号公報
【発明の概要】
【発明が解決しようとする課題】
【０００７】
しかしながら、特許文献１及び２に記載の発明のような防虫シートの多くは、ポリエチレンやポリスチレンを繊維状に編み込んだ織布に、有機リン系化合物を含浸処理したものであり、経時により織布が分解し、その防虫効果が低減されるばかりでなく、人体に有害である有機リン系化合物が土壌を汚染する可能性もある。
【０００８】
また、特許文献３に記載の発明のように、物理的に害虫の侵入を防ぐ方法では、仕上げ壁等の家屋の最外壁や屋根を覆うことは困難であり、その隙間から害虫の内部への侵入を許す可能性がある。
【０００９】
本発明の目的は、防虫シートを建物の柱や壁等に配置可能とすることにより、ムカデや白アリ等の害虫が家屋に侵入するのを防ぐことができ、しかも、防虫シートが汚れたり劣化したりして防虫効果がなくなった場合は容易に取替え可能とすることにより、防虫シートの分解を防いで防虫効果を維持可能とし、人体や環境への汚染を低減することが可能な防虫シート、防虫シート用固定治具及びこれらを備える防虫用具を提供することにある。
【課題を解決するための手段】
【００１０】
本発明は以下に関する。
１．  基材シートと、粘着材層と、忌避剤又は殺虫剤を含む防虫剤層とを備える、防虫シート。
２．  基材シートの表面に粘着材層が形成され、前記粘着材層の表面に忌避剤を含む防虫剤層又は殺虫剤を含む防虫剤層が設けられた、防虫シート。
３．  １又は２に記載の防虫シートを支持体に固定するための、防虫シート用固定治具。
４．  １又は２に記載の防虫シートを支持体に固定するための防虫シート用固定治具であって、前記防虫シートを保持する保持部と、この保持部に保持された前記防虫シートの表面を露出させる開口部とを有する、防虫シート用固定治具。
５．  防虫シート用固定治具を支持体に固定したとき、前記防虫シート用固定治具の開口部の上方となる位置に、庇部が配置された、４に記載の防虫シート用固定治具。
６．  防虫シート用固定治具を支持体に固定したとき、前記防虫シート用固定治具の下部となる位置に、害虫滑り部が配置された、３から５の何れか１に記載の防虫シート用固定治具。
７．  １又は２に記載の防虫シートと、３から６の何れか１に記載の防虫シート固定用治具とを備える、防虫用具。
【発明の効果】
【００１１】
本発明によれば、防虫シートを建物の柱や壁等に配置可能とすることにより、ムカデや白アリ等の害虫が家屋に侵入するのを防ぐことができ、しかも、防虫シートが汚れたり劣化したりして防虫効果がなくなった場合は容易に取替え可能とすることにより、防虫シートの分解を防いで防虫効果を維持可能とし、人体や環境への汚染を低減することが可能な防虫シート、防虫シート用固定治具及びこれらを備える防虫用具を提供することができる。
【図面の簡単な説明】
【００１２】
【図１】防虫シートの断面図（左側）と正面図（右側）である。
【図２】防虫シートとそれを固定する防虫シート用固定治具（１）の断面図である。
【図３】防虫シートとそれを固定する防虫シート用固定治具（１）（庇付き）の断面図である。
【図４】防虫シートとそれを固定する防虫シート用固定治具（２）の断面図である。
【図５】防虫シートとそれを固定する防虫シート用固定治具（２）（庇付き）の断面図である。
【図６】防虫用具の設置例を示す断面図である。
【発明を実施するための形態】
【００１３】
以下、本発明の実施形態について詳細に説明する。ただし、本発明は以下の実施形態に限定されるものではない。
【００１４】
＜第１の実施形態：防虫シート＞
図１に示すように、本発明の防虫シートＡの一実施形態は、基材シート１と、粘着材層２と、忌避剤又は殺虫剤を含む防虫剤層３と、を備えたものである。本実施の形態の防虫シートＡは、基材シート１の表面に粘着材層２が形成され、該粘着材層２の表面に忌避剤又は殺虫剤を含む防虫剤層３が設けられる。以下に本実施の形態の防虫シートＡの各構成について説明する。
【００１５】
［基材シート］
本実施の形態の基材シート１は、粘着材層２を付着させる基体となる部材である。粘着材層２が付着可能であれば、特に制限なく用いることができる。基材シート１の材質としては、アルミニウム、ステンレス等の金属、木材、樹脂、ゴム、織布／不織布、綿、皮革、などが挙げられる。これら材質は、一種を単独で用いてもよく、二種以上を混合して用いてもよい。また、基材シート１は、そのままで用いてもよく、樹脂や金属等により被覆されていてもよい。
【００１６】
基材シート１は、防虫シートＡの取り付け又は取替えの際に、切断や割れ等が発生しない程度の柔軟性がある材質であることが好ましい。係る観点から、ポリエチレンテレフタレート（ＰＥＴ）、ポリブタジエンテレフタレート（ＰＢＴ）、ポリエチレン（ＰＥ）、ポリプロピレン（ＰＰ）、ナイロン６（ＰＡ６）、ナイロン６６（ＰＡ６６）等のプラスチック類を用いることが好ましい。その中でも、耐候性、耐熱性、及び価格の観点からポリエチレンテレフタレート又はアクリル板を用いることが特に好ましい。これら材質は、一種を単独で用いてもよく、二種以上を混合して用いてもよい。
【００１７】
基材シート１の厚みは、特に限定されないが、好ましくは５μｍから２ｍｍであり、更に好ましくは１０μｍから１ｍｍである。５μｍ以上であると前記防虫シートＡの取り付け又は取替えの際に基材シート１が切断されにくくなり、また２ｍｍ以下であると基材シート１の柔軟性が良好となり、前記防虫シートＡの取り付け又は取替えの際に割れが発生しにくくなる。
【００１８】
基材シート１の形状は、特に限定されず、使用用途や使用場所、後述の固定用治具の形状に合わせて用いることができる。このなかでも柱や壁等に設置する観点から、長方形若しくは正方形、又はこれらに準ずる形状であることが好ましい。
【００１９】
基材シート１の大きさ（幅）は、特に限定されず、使用用途や使用場所、後述の固定用治具の大きさ等に合わせて適宜用いることができる。家屋の柱及び壁に設置する観点から、幅は１０ｍｍから１００ｍｍであってもよい。１０ｍｍ以上であると、大型の害虫が後述の忌避剤又は殺虫剤を含む防虫剤層３に接触しやすくなり、１００ｍｍ以下であるとシート交換の際、取扱いが容易となる。
【００２０】
［粘着材層］
本実施の形態の粘着材層２は、基材シート１と防虫剤層３とを貼り合わせるための部材である。粘着材層２は、前記基材シート１並びに後述の忌避剤又は殺虫剤を含む防虫剤層３への粘着が可能であれば、特に限定されることなく用いることができる。耐候性及び耐久性の観点から、雨等の水分により該粘着材層２の粘着材が溶けにくい成分であることが好ましい。粘着材層２に用いられる粘着材は、ゴム系やアクリル系、シリコーン系、ポリエステル系、エラストマー等であってもよい。また、粘着テープや粘着シート、粘着フィルムであってもよい。
【００２１】
粘着材層２の厚みは、特に限定されないが、好ましくは５μｍから２ｍｍであり、更に好ましくは１０μｍから１ｍｍである。５μｍ以上であると粘着材層が切断されにくくなり、また２ｍｍ以下であるとシートの柔軟性が良好となり、防虫シートＡの取り付け又は取替えの際に粘着材層に割れが発生しにくくなる。
【００２２】
粘着材層２に用いられる粘着材としては、一般に市販、及び販売されている粘着材を必要に応じて選択し、用いることができる。例えば、ハイボンＹＡ３２０−２、ハイボン１４９９、ハイボン１４９１、ハイボン１４７０、ハイボン１５００、ハイボン１６００、ハイボン１２１２、ハイボン１７５５、ハイボン７８８３、ハイボンＹＡ７９０−１、ハイボンＺＡ８８１−１、ハイボン４０３２、ハイボン４２５０、ハイボン２０４７、ハイボン２３２０Ｓ、ハイボン６００Ｂ、ハイボン１０１０Ａ等のＨｉ−Ｂｏｎ（日立化成株式会社製）、ヒタレックス（日立化成株式会社製）等の粘着フィルム、ナイスタック（ニチバン株式会社製）等の粘着テープなどが挙げられる。これらの粘着材は一種を単独で用いてもよく、または二種以上を混合して用いることができる。
【００２３】
［防虫剤層］
防虫剤層３は、後述する忌避剤又は殺虫剤を含むものである。防虫剤層３は、忌避剤又は殺虫剤の何れか一方のみを含んでもよいし、両方を含んでもよい。防虫剤層３に含まれる忌避剤又は殺虫剤としては、特に制限されずに用いることができる。白アリ、ムカデ、ゲジゲジ、ヤスデ、及びゴキブリ等、対象とする害虫に合わせて適宜選択することができる。忌避剤又は殺虫剤は一種類を単独で用いてもよく、又は二種以上を混合して用いてもよい。粘着材層２と良好に粘着する観点から、忌避剤又は殺虫剤は粉末状又は粒子状であることが好ましい。また、防虫剤層３には忌避剤又は殺虫剤以外の添加剤を含んでいてもよい。
【００２４】
防虫剤層３の大きさとしては特に制限されることなく、粘着材層２表面に設けられるとした場合、防虫剤層３が粘着材層２の一部又は全部を覆う程度の大きさであってもよく、対象とする害虫の種類や大きさ、設置場所等に合わせて変えることができる。防虫剤層３を形成した際のその少なくとも一辺の幅は、大きな虫が乗り越えることを防ぐ観点から、好ましくは１ｍｍから１００ｍｍ、さらに好ましくは５ｍｍから５０ｍｍである。１ｍｍ幅以上であれば、成虫のムカデ等の大きな虫が防虫剤層３を乗り越えることを防ぎやすくなる。
【００２５】
（忌避剤）
忌避剤とは、いわゆる虫除けのことであり、白アリ、ムカデ、ゲジゲジ、ヤスデ、及びゴキブリ等の害虫を接近もしくは付着させないようにする薬剤である。忌避剤としては、ハッカ油等の植物性オイル、天然除虫菊、ピレスロイド系薬剤、シナモン等が挙げられ、対象とする害虫に合わせた忌避剤を適宜選択することができる。特に、白アリやムカデ等に対する忌避効果の観点からハッカ油が好ましい。これら忌避剤は一種類を単独で用いてもよく、二種類以上を混合して用いてもよい。
【００２６】
忌避剤はそのまま用いてもよく、忌避剤が液状又はオイル状であれば、濾紙又は綿等にしみ込ませる方法、若しくはビーズ状に加工する方法、によって用いてもよい。
【００２７】
（殺虫剤）
殺虫剤とは、白アリ、ムカデ、ゲジゲジ、ヤスデ、及びゴキブリ等の害虫を防除（予防、駆除、撃退、軽減）することを目的とした薬剤である。殺虫剤としては、毒餌剤、接触剤、誘殺剤等が挙げられる。具体的には、シフルトリン、フェノトリン、エトフェンプロックス等のピレスロイド系、プロポクスル、カルバリル等のカーバメート系、ジノテフラン等のネオニコチノイド系、樟脳、ローズマリー精油などが挙げられ、対象とする害虫に合わせた殺虫剤を適宜選択することができる。特に、白アリやムカデ等に対する駆除効果の観点からエトフェンプロックスやカルバリルが好ましい。これら殺虫剤は一種類を単独で用いてもよく、二種類以上を混合して用いてもよい。
【００２８】
防虫剤層３の大きさ（縦横の寸法）としては特に制限されることなく、粘着材層２表面に設けられるとした場合、防虫剤層３が粘着材層２の一部又は全部を覆う程度の大きさであってもよく、対象とする害虫の種類や大きさ、設置場所等に合わせて変えることができる。防虫剤層３を形成した際のその少なくとも一辺の幅は、大きな虫が乗り越えることを防ぐ観点から、好ましくは１ｍｍから１００ｍｍ、さらに好ましくは５ｍｍから５０ｍｍである。１ｍｍ幅以上であれば、成虫のムカデ等の大きな虫が防虫剤層３を乗り越えることを防ぎやすくなる。
【００２９】
（作用効果）
本実施の形態の防虫シートＡは、基材シート１、粘着材層２、防虫剤層３の厚さや材質等の選択により、防虫剤としての効果を有しつつ、切断可能で柔軟性を持たせることができる。これにより、建物の柱や壁等の支持体６の大きさや形状、対象とする害虫の大きさに合わせて防虫シートＡの幅や形状等を調整することが可能なため、防虫シートＡを建物の壁及び柱に隙間無く固定することにより、地面から這い上がってくる害虫の侵入を防ぐことが可能になる。また、本実施の形態の防虫シートＡは、切断可能で柔軟性と持たせることができるので、建物の柱や壁等の支持体６への固定に固定治具７を用いる場合、この固定治具７への着脱も容易である。したがって、防虫シートＡを建物の柱や壁等に配置可能とすることにより、ムカデや白アリ等の害虫が家屋に侵入するのを防ぐことができる。しかも、防虫シートＡが汚れたり劣化したりして防虫効果がなくなった場合は容易に取替えが可能なことにより、防虫シートＡの分解を防いで防虫効果を維持可能とし、人体や環境への汚染を低減することが可能になる。
【００３０】
（変形例）
本実施形態における防虫シートＡは、基材シート１と、粘着材層２と、防虫剤層３とからなる三層構造であってもよく、必要に応じて各層の間に新たな層を設ける多層構造であってもよい。前記、新たな層としては、他の粘着材層、接着材層、樹脂層等（何れも図示しない）が挙げられ、一種を単独で用いてもよく、又は二種以上を組み合わせて用いてもよい。これら新たな層は、基材シート１と粘着材層２の間、及び粘着材層２と防虫剤層３の間に設けられるものであってもよい。
【００３１】
＜第２の実施形態：防虫シート用固定治具＞
図２に示すように、本実施の形態の防虫シート用固定治具７１は、上記第１の実施形態の防虫シートＡを支持体６に固定するための防虫シート用固定治具７１である。以下に本実施の形態の防虫シート用固定治具７１の構成について説明する。
【００３２】
［防虫シート用固定治具］
本実施の形態の防虫シート用固定治具７１は、前記第１の実施形態の防虫シートＡを、建物の柱や壁等の支持体６に固定して配置するためのものである。防虫シート用固定治具７１は、防虫シートＡを保持しつつ、建物の柱や壁等の支持体６に防虫シート用固定治具７１を取り付けて固定可能であれば、構造、材質等、特に制限されることなく用いることができる。
【００３３】
防虫シート用固定治具７１は、取り付けた防虫シートＡが使用中に外れにくい構造であることが好ましく、かつ防虫シートＡの取り外しが容易に可能であることがより好ましい。また、防虫シート用固定治具７１が、支持体６の固定場所から容易に剥がれ落ちにくい構造であることが好ましい。
【００３４】
防虫シート固定用治具７１の材質としては、特に制限されることなく用いることができ、アルミニウムや鉄等の金属、セラミック等であっても、プラスチック等の樹脂、又は木材であってもよい。これらの材質は一種を単独で用いてもよく、二種以上を組み合わせて用いてもよい。
【００３５】
防虫シート用固定治具７１を、建物の柱や壁等の支持体６に設置する方法は、雨水、風、振動等によって外れないように固定できる方法であればよく、特に限定されない。ネジや釘等で固定する方法、粘着材によって防虫シート用固定治具７１を貼り付ける方法、及び接着材によって防虫シート用固定治具７１を接着する方法などから自由に選択することができる。
【００３６】
（作用・効果）
本実施の形態の防虫シート用固定治具７１によれば、防虫剤としての効果を有しつつ、切断可能で柔軟性を持たせることが可能な防虫シートＡを用いるので、建物の柱や壁等の支持体６の大きさや形状、対象とする害虫の大きさに合わせて、様々な防虫シート用固定治具７１を準備することが可能である。また、防虫シートＡの防虫シート用固定治具７１への着脱も容易である。したがって、防虫シートＡを建物の柱や壁等に配置可能とすることにより、ムカデや白アリ等の害虫が家屋に侵入するのを防ぐことができる。しかも、防虫シートＡが汚れたり劣化したりして防虫効果がなくなった場合は容易に取替えが可能なことにより、防虫シートＡの分解を防いで防虫効果を維持可能とし、人体や環境への汚染を低減することが可能になる。
【００３７】
（変形例１）
図２に示すように、本実施の形態の防虫シート用固定治具７１は、防虫シートＡを保持する保持部８と、この保持部８に保持された防虫シートＡの表面を露出させる開口部９とを有する。
【００３８】
本実施の形態における保持部８とは、防虫シートＡを保持するものである。防虫シート用治具７１に防虫シートＡを保持可能であれば、構造、材質等、特に制限はないが、防虫シートＡ全体を収容できる箱形の構造であると、雨水、風、太陽光等（以下、雨水等ということがある。）が直接当るのを抑制でき、脱落や劣化を抑制できる点で好ましい。また、腐食し難く、対候性のある材質であると、雨水、風、太陽光等に晒されても劣化し難い点で好ましい。
【００３９】
開口部９とは、保持部８に保持された防虫シートＡの表面を露出させるものである。防虫シートＡの表面の少なくとも一部が露出すれば、大きさ、形状、位置等の制限はないが、防虫シートＡの防虫効果を発揮させるために表面を露出させつつ、開口部９から保持部８に着脱することを容易にする観点から、保持部８に保持した防虫シートＡの表面側に設けられるのが好ましい。また、同様の観点から、開口部９の寸法は、防虫シートＡの縦横寸法の３０％以上であるのが好ましく、６０％以上であるのがより好ましく、９０％以上であるのがさらに好ましい。一方、雨水、風、振動等によって防虫シートＡが脱落し難くする観点から、開口部９の寸法は、防虫シートＡの縦横寸法の１００％未満であることが好ましい。また、防虫シートＡを保持部８からより脱落し難くできることから、保持部８の端部が、開口部９の内部に向かって突出した突出部１０を有するのが好ましい。
【００４０】
（変形例２）
本実施の形態の防虫シート固定用治具７２は、雨水等が当るのを防ぐための庇部４を有していてもよい。図３に示すように、本実施の形態の防虫シート用固定治具７２は、防虫シート用固定治具７２を支持体６に固定したとき、防虫シート用固定治具７２の開口部９の上方となる位置に、庇部４が配置される。
【００４１】
庇部４とは、防虫シート用固定治具７２に保持された防虫シートＡに、雨水、風、太陽光等（が当るのを抑制するためのものである。庇部４は、防虫シート用固定治具を支持体６に固定したとき、防虫シート用固定治具７２の開口部９の上方となる位置に設けられることが好ましい。これにより、防虫シートＡに雨水等が当ることによる劣化を抑制することができる。また、防虫シートＡの防虫剤層３の薬剤が雨水等に曝されることがなく、薬剤の流出や劣化を防ぐことができる。
【００４２】
また、庇部４の大きさ（縦横の寸法）や形状、及び庇部４と防虫シートＡのなす角度は、防虫シートＡや開口部９の大きさ、形状に合わせて適宜調節することができる。例えば、庇部４の大きさは、防虫シートＡや開口部９と同程度の大きさであってもよい。また、庇部４と防虫シートＡのなす角度は、９０°〜１０°が好ましく、８０°〜１０°であることがより好ましく、６５°〜２５°であることがさらに好ましい。９０°以下であると雨水等が当るのを抑制する雨避けとして機能しやすくなり、１０°以上であると、防虫剤層３が露出し、害虫に対して効果が発現しやすくなる。また、庇部４を可動式とし、角度を任意に調節可能であってもよい。
【００４３】
庇部４の材質は、防虫シート固定用治具７２の材質と同様である。庇部４の材質と防虫シート用固定治具７２の材質は、同じものを用いてもよく、また、異なっていてもよい。
【００４４】
庇部４は、樹脂及び金属により被覆してもよく、撥水剤又は防湿剤等の添加剤を、被覆又は塗布してもよい。
【００４５】
（変形例３）
本実施の形態の防虫シート用固定治具７３は、害虫が柱、壁等を簡単に登れないようにするための害虫滑り部５を有していてもよい。図４に示すように、本実施の形態の防虫シート用固定治具７３は、防虫シート用固定治具７３を支持体６に固定したとき、防虫シート用固定治具７３の下部となる位置に、害虫滑り部５が配置される。
【００４６】
害虫滑り部５とは、害虫の手足を滑りやすくして進行を妨げるものであり、このような機能が発揮できれるものであれば、防虫シート用固定治具７３において、特に制限されることなく設けることができる。このような害虫滑り部５は、例えば、表面が平坦なシート部分を設けることによって実現できる。害虫が、柱や壁を登ることを防ぐ観点から、防虫シート用固定治具７３を設置した際、防虫シート用固定治具７３の下部となる位置に、下方に向けて設けられることが好ましい。これにより、防虫シートＡの防虫剤層３の薬剤の効果に加えて、害虫が柱、壁等を登ること自体が困難となるため、地面から這い上がってくる害虫の侵入を抑制する効果をより向上させることができる。
【００４７】
害虫滑り部５の大きさは、防虫シートＡや防虫シート用固定治具７３の大きさに合わせて適宜調節することができる。例えば害虫滑り部５の大きさは、防虫シートＡと同程度の大きさであってもよい。
【００４８】
害虫滑り部５の材質は、害虫の手足を滑りやすくして進行を妨げる機能を有するものであれば、特に制限はないが、防虫シート用固定治具７３の材質と同様であると、防虫シート用固定治具７３と一体的に成形できるため、製作が容易である。
【００４９】
害虫滑り部５は、樹脂及び金属により被覆してもよく、撥水剤、防湿剤、又は潤滑剤等の添加剤を、被覆又は塗布してもよい。これにより、害虫滑り部５が害虫の手足を滑りやすくして進行を妨げる効果を向上することが可能になる。
【００５０】
（変形例４）
本実施の形態の防虫シート用固定治具７４は、庇部４と害虫滑り部５の両方を有していてもよい。図５に示すように、本実施の形態の防虫シート用固定治具７４は、防虫シート用固定治具７４を支持体６に固定したとき、防虫シート用固定治具７４の開口部９の上方となる位置に、庇部４が配置されるとともに、防虫シート用固定治具７４の下部となる位置に、害虫滑り部５が配置される。この防虫シート用固定治具７４によれば、防虫シートＡに雨水等が当ることによる劣化を抑制することができ、防虫効果が持続することに加え、害虫が柱、壁等を登ること自体が困難となるため、地面から這い上がってくる害虫の侵入を抑制する効果をさらに向上させることができる。
【００５１】
＜第３の実施形態：防虫用具＞
本実施の形態の防虫用具Ｂは、上記で説明した第１の実施形態の防虫シートＡ（図１）と、第２の実施形態の防虫シート用固定治具７（図２〜図５のいずれか１）を備えるものである。これによれば、防虫用具Ｂの防虫シート用固定治具７に保持する防虫シートＡとして、防虫剤としての効果を有しつつ、切断可能で柔軟性を持たせることが可能な防虫シートＡを用いるので、建物の柱や壁等の支持体６の大きさや形状、対象とする害虫の大きさに合わせて、様々な防虫シート用固定治具７を使用した防虫用具Ｂを提供することが可能である。また、防虫シートＡの防虫シート用固定治具７への着脱も容易である。したがって、防虫シートＡを建物の柱や壁等に配置可能とすることにより、ムカデや白アリ等の害虫が家屋に侵入するのを防ぐことができる。しかも、防虫シートＡが汚れたり劣化したりして防虫効果がなくなった場合は容易に取替えが可能なことにより、防虫シートＡの分解を防いで防虫効果を維持可能とし、人体や環境への汚染を低減することが可能になる。
【００５２】
＜第４の実施形態：防虫用具の設置方法＞
本実施の形態の防虫用具の設置方法は、図６に示すように、防虫用具Ｂ４の防虫シート用固定治具７４に設けられた開口部９の反対側の面を、上下方向に設けられた建物の柱や壁等の支持体６の表面に、接着材（図示しない）を用いて、設置する方法である。なお、建物の柱や壁等の支持体６の表面に、防虫用具Ｂを設置する方法として、上述した接着材以外に、ネジや釘等で固定する方法、勘合構造を設ける方法、その他の固定方法を使用することができる。防虫シート用固定治具７４の庇部４は、防虫シート用固定治具７４を支持体６に固定した状態では、防虫シート用固定治具７４の開口部９の上方となる位置に配置され、害虫滑り部は、防虫シート用固定治具の下部となる位置に配置される。これにより、防虫用具は、雨水、風、振動等によって支持体６から外れないように固定できる。また、庇部４が、開口部９の上方に配置されるので、雨水、風等が、防虫シートＡに当り難くなるため、防虫シートＡの劣化を抑制できる。さらに、害虫滑り部５が、防虫シート用固定治具７４の下方に配置されるので、害虫が柱、壁等の支持体６を登ること自体が困難となるため、地面から這い上がってくる害虫の侵入を抑制できる。
【実施例】
【００５３】
以下、実施例を挙げて本発明についてさらに具体的に説明する。ただし、本発明はこれら実施例に限定されるものではない。
【００５４】
（実施例）
ネジ式のフタが可能な２Ｌの透明プラスチック容器の底に高さ５０ｍｍまで土を入れ、そこに支持体６として、縦５０ｍｍ、横５０ｍｍ、高さ７０ｍｍのコンクリートブロックを置き、コンクリートブロック側面上の、土表面から高さ３０ｍｍの部分に、防虫シート用固定治具７（幅広の輪ゴム）を取り付け、基材シート１（アクリル板、厚さ０.５ｍｍ）、粘着材層２（ナイスタック、ニチバン株式会社製）、防虫剤層３の順に重ねた、三層構造を有する幅１０ｍｍの防虫シートＡを防虫シート用固定治具７に取り付けた。防虫剤層３としては、粉末状の殺虫剤（アリカダン粉剤、フマキラー株式会社製）を用いた。縦３０ｍｍ、横３０ｍｍ、高さ３０ｍｍの餌木を該コンクリートブロックの上に接着材で固定し、少量の水を土の上に置き、白アリ（住化テクノサービス株式会社より購入）を５０匹放った。約１ヶ月間観察し、白アリの生死、コンクリートブロック側面上の蟻道の形成有無の確認を行った。ここで、蟻道とは、白アリが土や排泄物・餌の食べかすにより形成された餌場へ向かう道のことを示す。
【００５５】
（比較例）
支持体６であるコンクリートブロックに防虫シートＡを設置せず、コンクリートブロックそのままのものを土の上に設置した以外は、実施例と同じ条件にして実験を行った。
【００５６】
実施例及び比較例の結果を表１に示した。
【００５７】
【表１】
2018121536.tif 000003
【００５８】
支持体６であるコンクリートブロックの周囲（側面）に幅１０ｍｍの防虫シートＡを設けることで白アリの侵入を防止する効果が確認できた。
【符号の説明】
【００５９】
Ａ・・・防虫シート
１・・・基材シート
２・・・粘着材層
３・・・防虫剤層
４・・・庇部
５・・・害虫滑り部
６・・・支持体
７・・・防虫シート用固定治具
７１・・・防虫シート用固定治具（１）
７２・・・防虫シート用固定治具（１）庇付き
７３・・・防虫シート用固定治具（２）
７４・・・防虫シート用固定治具（２）庇付き
８・・・保持部
９・・・開口部
１０・・・突出部
Ｂ・・・防虫用具
Ｂ１・・・防虫用具（１）
Ｂ２・・・防虫用具（１）庇付き
Ｂ３・・・防虫用具（２）
Ｂ４・・・防虫用具（２）庇付き
【図１】
2018121536.tif 000004
【図２】
2018121536.tif 000005
【図３】
2018121536.tif 000006
【図４】
2018121536.tif 000007
【図５】
2018121536.tif 000008
【図６】
2018121536.tif 000009